(57)【要約】【課題】所定の快適指標に基づく個人差を補正する際の利用者による機器操作の手間を大幅に削減することが可能な空気調和機の制御装置および空気調和機の制御方法を提供する。【解決手段】この制御装置１００（空気調和機の制御装置）は、予測平均温冷感申告（ＰＭＶ値）が設定された空調環境２に滞在する従業員グループごとの勤務シフト表５１を記憶する勤務シフト記憶部１３と、空調環境２に対する従業員グループごとの快適性補正テーブル５２を従業員グループと関連付けて記憶する補正量記憶部１４と、勤務シフト表５１および快適性補正テーブル５２に基づいて予測平均温冷感申告に基づく制御量Ｐを補正した状態で、空気調和機１の運転制御を行う空気調和機制御部１１とを備える。【選択図】図１
2015017753.tif 000002
【特許請求の範囲】
【請求項１】
所定の快適指標が設定された空調環境に滞在する１または複数の利用者ごとの滞在時間帯情報を記憶する第１記憶手段と、
前記空調環境に対する前記１または複数の利用者ごとの温冷感情報を前記１または複数の利用者と関連付けて記憶する第２記憶手段と、
前記滞在時間帯情報および前記温冷感情報に基づいて前記快適指標に基づく制御量を補正した状態で、空気調和機の運転制御を行う空気調和機制御部とを備える、空気調和機の制御装置。
【請求項２】
前記１または複数の利用者の前記空調環境に対する前記温冷感情報は、前記所定の快適指標に対する補正量として前記第２記憶手段に記憶されるように構成されており、
前記空気調和機制御部は、前記滞在時間帯情報に基づいて特定された前記空調環境に滞在中の前記１または複数の利用者の前記温冷感情報に対応した前記補正量を前記制御量に付加することによって、前記空気調和機の運転制御を行うように構成されている、請求項１に記載の空気調和機の制御装置。
【請求項３】
前記１または複数の利用者は、各々が所定の勤務シフトに基づいて職務に従事する職務従事者を含み、
前記第１記憶手段に記憶される前記滞在時間帯情報は、前記１または複数の職務従事者ごとの勤務シフト情報であり、
前記空気調和機制御部は、前記勤務シフト情報および前記温冷感情報に基づいて前記快適指標に基づく制御量を補正した状態で、前記空気調和機の運転制御を行うように構成されている、請求項１または２に記載の空気調和機の制御装置。
【請求項４】
前記空調環境に対する前記利用者の温冷感の入力操作を受け付ける快適性入力部をさらに備え、
前記利用者により前記快適性入力部を介して入力操作が行われた際に、前記第１記憶手段に記憶された前記滞在時間帯情報に基づいて前記快適性入力部を介して前記入力操作を行う前記１または複数の利用者が特定されるとともに、特定された前記１または複数の利用者の前記空調環境に対する前記温冷感情報が前記第２記憶手段に記憶されるように構成されている、請求項１〜３のいずれか１項に記載の空気調和機の制御装置。
【請求項５】
前記温冷感情報が前記第２記憶手段に記憶されている状態で、前記空調環境に対する前記利用者の温冷感の入力操作が前記快適性入力部を介して再度受け付けられた場合、前記滞在時間帯情報に基づいて特定された前記利用者の前記温冷感情報に再度受け付けられた温冷感が反映された状態で前記第２記憶手段の記憶内容が更新されるように構成されている、請求項４に記載の空気調和機の制御装置。
【請求項６】
前記１または複数の利用者の前記温冷感情報は、前記空調環境が有する複数の温湿度条件の各々に対応した前記温冷感情報の状態で前記快適性入力部を介して個別に入力操作されることによって前記第２記憶手段に記憶されるように構成されている、請求項４または５に記載の空気調和機の制御装置。
【請求項７】
所定の快適指標が設定された空調環境に滞在する１または複数の利用者ごとの滞在時間帯情報を記憶するステップと、
前記空調環境に対する前記１または複数の利用者ごとの温冷感情報を前記１または複数の利用者と関連付けて記憶するステップと、
前記滞在時間帯情報および前記温冷感情報に基づいて前記快適指標に基づく制御量を補正した状態で、空気調和機の運転制御を行うステップとを備える、空気調和機の制御方法。
【発明の詳細な説明】
【技術分野】
【０００１】
この発明は、空気調和機の制御装置および空気調和機の制御方法に関し、特に、所定の快適指標に基づいて空気調和機の運転制御を行う空気調和機制御部を備えた空気調和機の制御装置および空気調和機の制御方法に関する。
【背景技術】
【０００２】
従来、所定の快適指標に基づいて空気調和機の運転制御を行う空気調和機制御部を備えた空気調和機が知られている（たとえば、特許文献１参照）。
【０００３】
上記特許文献１には、空気調和を行う冷暖房手段と、リモコン（快適性入力部）を介して受け付けられた空調環境に対する利用者の「暑い」・「寒い」などの温冷感に基づいて冷暖房手段の運転制御を行う冷暖房制御手段（空気調和機の制御装置）とを備えた空気調和機が開示されている。この特許文献１に記載の空気調和機では、室内空間に設置されたセンサ類の検知結果に基づき現在の空調環境が有する快適度が常に把握されており、現在の快適度がその室内空間に設定された予測平均温冷感申告（ＰＭＶ（Ｐｒｅｄｉｃｔｅｄ  Ｍｅａｎ  Ｖｏｔｅ）値）における中立（快適）状態に向かうように冷暖房手段が自動運転制御されるように構成されている。
【０００４】
ここで、予測平均温冷感申告（ＰＭＶ値）とは、温熱環境（空調環境）の快適性を評価する１つの指標であり、国際標準化機構が定めた国際規格ＩＳＯ−７７３０に記載されている演算式により算出される指標値を示す。評価対象となる温熱環境が有するＰＭＶ値は、「−３」（寒い）〜「＋３」（暑い）までの数値として定量化され、中央の「０」（中立）は、暑くもなく寒くもない快適状態を示す。また、ＩＳＯの標準では、ＰＭＶ値＝０（ゼロ）は、その温熱環境に対して約９５％の利用者（在室者）が快適さを感じる状態に対応している。したがって、理論上、ＰＭＶ値＝０が維持される室内空間においては、その場に居合わせた大多数（約９５％）の利用者がその空調環境に不快さを感じず満足した状態にあるとＩＳＯでは解釈されている。
【０００５】
上記特許文献１では、冷暖房手段の運転制御中にリモコンを介して利用者（在室者）により入力された「暑い」・「寒い」などの温冷感に基づいて、室内空間の基準となる快適度（ＰＭＶ値）が補正されるように構成されている。したがって、利用者の温冷感が入力された場合には、冷暖房制御手段は、入力された利用者の温冷感が反映された快適度を新たな基準として、新たに設定された快適度の基準における中立状態に向けて冷暖房手段の運転制御を継続するように構成されている。
【先行技術文献】
【特許文献】
【０００６】
【特許文献１】特開平６−２０７７３４号公報
【発明の概要】
【発明が解決しようとする課題】
【０００７】
しかしながら、上記特許文献１に記載された空気調和機では、リモコンを介して入力された利用者の温冷感に基づく快適度（ＰＭＶ値（所定の快適指標））を新たな基準として冷暖房手段の運転制御が継続されるため、たとえば、先の利用者が有する温冷感に基づく快適度の基準で空調環境が維持されていた状態で、先の利用者が室内空間から退出して先の利用者とは異なる温冷感を有する利用者がこの室内空間に入室した際、後の利用者がその空調環境に快適さを感じない場合には、後の利用者もリモコンを操作して自己の温冷感を手動入力する必要があると考えられる。したがって、複数の利用者による室内空間への入退室のたびに各人が温冷感を都度入力する必要があるため、利用者にとってはリモコンを介した入力操作自体が非常に手間になり、その結果、所定の快適指標に基づく利用者による機器操作の手間が大きくなるという問題点がある。
【０００８】
この発明は、上記のような課題を解決するためになされたものであり、この発明の１つの目的は、所定の快適指標に基づく個人差を補正する際の利用者による機器操作の手間を大幅に削減することが可能な空気調和機の制御装置および空気調和機の制御方法を提供することである。
【課題を解決するための手段】
【０００９】
上記目的を達成するために、この発明の第１の局面による空気調和機の制御装置は、所定の快適指標が設定された空調環境に滞在する１または複数の利用者ごとの滞在時間帯情報を記憶する第１記憶手段と、空調環境に対する１または複数の利用者ごとの温冷感情報を１または複数の利用者と関連付けて記憶する第２記憶手段と、滞在時間帯情報および温冷感情報に基づいて快適指標に基づく制御量を補正した状態で、空気調和機の運転制御を行う空気調和機制御部とを備える。
【００１０】
この発明の第１の局面による空気調和機の制御装置では、上記のように、空調環境に滞在する１または複数の利用者ごとの滞在時間帯情報および空調環境に対する１または複数の利用者ごとの温冷感情報に基づいて快適指標に基づく制御量を補正した状態で空気調和機の運転制御を行う空気調和機制御部を備えることによって、空調環境に滞在中の利用者に合わせた温冷感を空気調和制御に自動的に反映させることができるので、利用者にとっては空調環境滞在時に自己の温冷感を空気調和機側に都度入力する手間を掛けることなく自己の温冷感が自動的に反映された空調環境を享受することができる。その結果、所定の快適指標に基づく個人差を補正する際の利用者による機器操作の手間を大幅に削減することができる。
【００１１】
上記第１の局面による空気調和機の制御装置において、好ましくは、１または複数の利用者の空調環境に対する温冷感情報は、所定の快適指標に対する補正量として第２記憶手段に記憶されるように構成されており、空気調和機制御部は、滞在時間帯情報に基づいて特定された空調環境に滞在中の１または複数の利用者の温冷感情報に対応した補正量を制御量に付加することによって、空気調和機の運転制御を行うように構成されている。このように構成すれば、空調環境に滞在中の利用者を滞在時間帯情報に基づいて容易に特定することができるとともに、所定の快適指標が設定された空調環境に対して、特定された利用者に合わせた温冷感を加味した空気調和制御を容易に行うことができる。
【００１２】
上記第１の局面による空気調和機の制御装置において、好ましくは、１または複数の利用者は、各々が所定の勤務シフトに基づいて職務に従事する職務従事者を含み、第１記憶手段に記憶される滞在時間帯情報は、１または複数の職務従事者ごとの勤務シフト情報であり、空気調和機制御部は、勤務シフト情報および温冷感情報に基づいて快適指標に基づく制御量を補正した状態で、空気調和機の運転制御を行うように構成されている。このように構成すれば、所定の勤務シフトに基づいて職務に従事する職務従事者が滞在する空調環境において、空調環境に滞在中の職務従事者に合わせた温冷感を空気調和制御に自動的に反映させることができるので、職務従事者にとっては空調環境滞在時に自己の温冷感を空気調和機側に都度入力する手間を掛けることなく自己の温冷感が自動的に反映された空調環境を享受することができる。また、空気調和機側においても、各職務従事者の勤務シフト情報および温冷感情報に基づく効率的な空気調和制御を行うことができるので、所定の快適指標に基づく自動運転制御による省エネ効果を適切に得ることができる。
【００１３】
上記第１の局面による空気調和機の制御装置において、好ましくは、空調環境に対する利用者の温冷感の入力操作を受け付ける快適性入力部をさらに備え、利用者により快適性入力部を介して入力操作が行われた際に、第１記憶手段に記憶された滞在時間帯情報に基づいて快適性入力部を介して入力操作を行う１または複数の利用者が特定されるとともに、特定された１または複数の利用者の空調環境に対する温冷感情報が第２記憶手段に記憶されるように構成されている。このように構成すれば、快適性入力部を介して入力（登録）される１または複数の利用者ごとの温冷感情報を、この入力操作（登録操作）を行う１または複数の利用者と確実に関連付けて第２記憶手段に記憶（登録）させることができる。これにより、所定の快適指標が設定された空調環境に対して、利用者ごとの温冷感を空気調和制御に確実に反映させることができる。
【００１４】
この場合、好ましくは、温冷感情報が第２記憶手段に記憶されている状態で、空調環境に対する利用者の温冷感の入力操作が快適性入力部を介して再度受け付けられた場合、滞在時間帯情報に基づいて特定された利用者の温冷感情報に再度受け付けられた温冷感が反映された状態で第２記憶手段の記憶内容が更新されるように構成されている。このように構成すれば、利用者各人の温冷感が多少変化したり、利用者の人員構成が変更されて全体としての温冷感が多少変化した場合であっても、第２記憶手段に記憶（登録）される利用者の温冷感情報を利用者側の変更に対応させて常に最新の状態に更新することができる。
【００１５】
上記利用者の温冷感の入力操作を受け付ける快適性入力部をさらに備える構成において、好ましくは、１または複数の利用者の温冷感情報は、空調環境が有する複数の温湿度条件の各々に対応した温冷感情報の状態で快適性入力部を介して個別に入力操作されることによって第２記憶手段に記憶されるように構成されている。このように構成すれば、複数の温湿度条件の各々に対応して温冷感を細かく設定しておくことができるので、利用者各人の温冷感を空気調和制御に対して忠実に反映させることができる。
【００１６】
この発明の第２の局面による空気調和機の制御方法は、所定の快適指標が設定された空調環境に滞在する１または複数の利用者ごとの滞在時間帯情報を記憶するステップと、空調環境に対する１または複数の利用者ごとの温冷感情報を１または複数の利用者と関連付けて記憶するステップと、滞在時間帯情報および温冷感情報に基づいて快適指標に基づく制御量を補正した状態で、空気調和機の運転制御を行うステップとを備える。
【００１７】
この発明の第２の局面による空気調和機の制御方法では、上記のように、１または複数の利用者ごとの滞在時間帯情報および温冷感情報に基づいて快適指標に基づく制御量を補正した状態で空気調和機の運転制御を行うステップを備えることによって、空調環境に滞在中の利用者に合わせた温冷感を空気調和制御に自動的に反映させることができるので、利用者にとっては空調環境滞在時に自己の温冷感を空気調和機側に都度入力する手間を掛けることなく自己の温冷感が自動的に反映された空調環境を享受することができる。その結果、所定の快適指標に基づく個人差を補正する際の利用者による機器操作の手間を大幅に削減することができる。
【発明の効果】
【００１８】
本発明によれば、上記のように、所定の快適指標に基づく個人差を補正する際の利用者による機器操作の手間を大幅に削減することができる。
【図面の簡単な説明】
【００１９】
【図１】本発明の一実施形態による制御装置の全体構成を示したブロック図である。
【図２】本発明の一実施形態おける制御装置により維持される空調環境に設定されているＰＭＶ値（予測平均温冷感申告）について説明するための概略図である。
【図３】本発明の一実施形態による制御装置に設けられた快適性操作パネルの画面構成を示した図である。
【図４】本発明の一実施形態による制御装置において参照される勤務シフト表を示した図である。
【図５】本発明の一実施形態による制御装置において参照される快適性補正テーブルを示した図である。
【図６】本発明の一実施形態による制御装置による空気調和機の運転制御パターンを説明するための模式図である。
【図７】本発明の一実施形態による制御装置に設けられた空調機運転制御部により空気調和機が運転制御される際の処理フローを示した図である。
【図８】本発明の一実施形態による制御装置に設けられた快適性操作パネルが入力操作を受け付けた場合の空調機運転制御部の処理フローを示した図である。
【発明を実施するための形態】
【００２０】
以下、本発明を具体化した実施形態を図面に基づいて説明する。
【００２１】
図１〜図６を参照して、本発明の一実施形態による制御装置１００の構成について説明する。なお、制御装置１００は、本発明の「空気調和機の制御装置」の一例である。
【００２２】
本実施形態による制御装置１００は、図１に示すように、空気調和機１の運転制御を行う機能を有している。また、制御装置１００が所定の制御量Ｐを常に出力しながら空気調和機１の運転制御を行うことによって、たとえば店舗内の空調環境２（二点鎖線で示す）が、ある決められた温湿度条件に保たれている。このような店舗においては、後述する勤務シフト表５１（図４参照）に基づいて業務に携わる従業員が配置されている。ここで、従業員の人数は、勤務時間帯によっては一人の場合もあるし複数の場合もあるが、本実施形態においては、複数の従業員が１つの従業員グループを形成した状態で、複数の従業員グループが互いに異なる勤務時間帯において業務に携わる場合を想定している。なお、業務に携わる従業員は、本発明における「１または複数の利用者」および「職務に従事する職務従事者」の一例である。また、勤務シフト表５１は、本発明の「滞在時間情報」および「勤務シフト情報」の一例である。
【００２３】
制御装置１００は、空気調和機１とは別個な制御機器として構成されており、内部には空気調和機１の運転制御に関する制御量Ｐなどを演算（算出）して出力する空調機運転制御部１１を含む制御回路が組み込まれている。また、制御装置１００は、図示しない箱状の筐体に収納されており、筐体の正面部には、従業員が操作可能な快適性操作パネル２０が設けられている。また、制御装置１００は、空気調和機１に専用の通信回線１ａを介して接続されている。なお、空調機運転制御部１１は、本発明の「空気調和機制御部」の一例である。また、快適性操作パネル２０は、本発明の「快適性入力部」の一例である。
【００２４】
空気調和機１は、いわゆる蒸気圧縮式の冷凍サイクル装置からなる。すなわち、空気調和機１は、図示しない圧縮機、四方弁、凝縮器（室外側熱交換器）、膨張弁および蒸発器（室内側熱交換器）が冷媒配管を介して一巡するように接続された冷凍サイクル装置として構成されている。そして、制御装置１００からの指令に基づいて四方弁が冷房サイクル側または暖房サイクル側に切り替えられることにより、空気調和機１が冷房運転または暖房運転で運転されるように構成されている。また、このような冷凍サイクル装置においては、二酸化炭素冷媒などの自然冷媒や、オゾン層破壊係数がゼロの代替フロン冷媒が使用可能に構成されている。
【００２５】
ここで、本実施形態では、国際標準化機構の定める国際規格ＩＳＯ−７７３０に記載された予測平均温冷感申告（ＰＭＶ値）に基づいて空調環境２の温湿度条件が制御されるように構成されている。なお、予測平均温冷感申告（ＰＭＶ値）は、本発明の「所定の快適指標」の一例である。
【００２６】
具体的には、図２に示すように、空気調和が行われる空調環境２（図１参照）が有する快適性のレベルが、利用者の感覚（温冷感）としての「寒い」（＝ＰＭＶ値換算で「−３」に相当）から「涼しい」、「やや涼しい」および「中立（快適）」（＝ＰＭＶ値換算で「０」に相当）を経て、反対側の「やや暖かい」、「暖かい」および「暑い」（＝ＰＭＶ値換算で「＋３」に相当）までの数値範囲のいずれかの数値に該当する場合、制御装置１００（図１参照）は、現時点で把握されている快適性のレベルから空調環境２が常に「中立」の状態に向かうように空気調和機１（図１参照）を運転制御するように構成されている。
【００２７】
たとえば、制御装置１００側において現時点で把握されている快適性のレベルがＰＭＶ値換算で「−２」に対応する涼しい状態であった場合、制御装置１００は、現在のＰＭＶ値である「−２」の状態から中立に相当する「０」の状態へと空調環境２をシフトさせるような制御量Ｐに基づいて空気調和機１の運転制御を行う。そして、空調環境２の温度（湿度）が徐々に上昇されて、所定時間経過後にＰＭＶ値が「０」近傍の値として検出された場合、制御装置１００は、このＰＭＶ値≒０に対応する温湿度条件を極力維持するように空気調和機１の運転制御を継続する。
【００２８】
反対に、制御装置１００側において現時点で把握されている快適性のレベルがＰＭＶ値換算で「＋３」に対応する暑い状態であった場合、制御装置１００は、現在のＰＭＶ値である「＋３」の状態から中立に相当する「０」の状態へと空調環境２をシフトさせるような制御量Ｐに基づいて空気調和機１の運転制御を行う。そして、空調環境２の温度（湿度）が徐々に低下されて、所定時間経過後にＰＭＶ値が「０」近傍の値として検出された場合、制御装置１００は、このＰＭＶ値≒０に対応する温湿度条件を極力維持するように空気調和機１の運転制御を継続する。
【００２９】
なお、空調環境２（図１参照）には、この予測平均温冷感申告（ＰＭＶ値）に対応する温湿度条件が、空気調和の基準値として予め設定されている。また、空気調和が行われる空調環境２のＰＭＶ値が中立（快適）を意味する「０」であることは、理論上、空調環境２に対して約９５％の従業員（利用者）が快適さを感じる状態に対応している。したがって、ＰＭＶ値≒０に保たれた空調環境２は、その場に居合わせた大多数（約９５％）の従業員（利用者）が空調環境２に不快さを感じずほぼ満足した状態にあると考えられている。
【００３０】
したがって、上記の制御手法を実現するために、制御装置１００は、図１に示すように、ＰＭＶ値算出部１０と、空調機運転制御部１１と、補正量算出部１２と、勤務シフト記憶部１３と、補正量記憶部１４と、快適性操作パネル２０とを備えている。また、空調環境２には、空調環境２の温湿度条件を検出するための複数のセンサ類３（破線で囲む）が所定箇所に設けられている。センサ類３には、室内温度センサ４、室内湿度センサ５、室内輻射温度センサ６および気流センサ７などが含まれており、センサ類３により、空調環境２のＰＭＶ値を把握（算出）するための環境側の要素が取得されるように構成されている。また、空調環境２のＰＭＶ値を把握（算出）するための人間側の要素としては、従業員の着衣量および活動量が挙げられる。この従業員の着衣量および活動量については、空調環境２の大きさ（広さ）や従業員数および従業員の年齢層などの情報に基づき、別途、制御装置１００に対して設定されている。なお、勤務シフト記憶部１３および補正量記憶部１４は、それぞれ、本発明の「第１記憶手段」および「第２記憶手段」の一例である。
【００３１】
ＰＭＶ値算出部１０は、センサ類３による空調環境２の環境状態の検出結果（温湿度条件）および予め設定された従業員の着衣量および活動量などに基づいて、現在の空調環境２が有するＰＭＶ値を算出する役割を有している。なお、ＰＭＶ値の算出式は、国際規格ＩＳＯ−７７３０に記載されているので説明を省略する。また、空調機運転制御部１１は、ＰＭＶ値算出部１０により算出された現在のＰＭＶ値に基づいて空気調和機１に対して運転制御を行う際の制御量Ｐを算出するとともに、算出された制御量Ｐに基づいて空気調和機１に対する運転指令（運転信号）を出力する役割を有している。なお、運転指令の内容としては、運転モード（冷房運転／暖房運転／送風運転／ドライ運転）、目標温度（乾球温度）、目標湿度（相対湿度）および送風機風量などが含まれる。
【００３２】
補正量算出部１２は、後述する快適性操作パネル２０（図３参照）を介して受け付けられた従業員グループごとに有する「暑い」・「寒い」などの温冷感に基づいて、ＰＭＶ値算出部１０により算出された現在のＰＭＶ値に対して加味される補正量Ｑを算出（選択）する役割を有している。
【００３３】
勤務シフト記憶部１３には、予め管理者（使用者）側で作成された従業員グループごとの勤務シフト表５１が記憶されている。勤務シフト表５１には、図４に示すように、１日における各従業員グループの勤務時間帯が登録されている。たとえば、２０１３年２月３日（日曜日）では、午前９時から午後１３時までが従業員グループＡの勤務時間帯であり、午後１３時から午後１８時までが従業員グループＢの勤務時間帯であり、午後１８時から午後２２時までが従業員グループＣの勤務時間帯として登録（設定）されている。また、２０１３年２月４日（月曜日）においては、午前９時から午後１３時までが従業員グループＤの勤務時間帯であり、午後１３時から午後２２時までが従業員グループＥの勤務時間帯として登録（設定）されている。
【００３４】
補正量記憶部１４（図１参照）には、従業員グループＡ〜Ｅの各々に関連付けられて個別に作成された複数の快適性補正テーブル５２が記憶されている。快適性補正テーブル５２は、図５に示すように、従業員グループごとの快適性を補正するための補正量Ｑが予め設定されている。なお、快適性補正テーブル５２は、本発明の「温冷感情報」の一例である。
【００３５】
たとえば、従業員グループＡについては、温度２４℃／５０％ＲＨ（相対湿度）に保たれた空調環境２に対する温冷感は「快適」であるとして、ＰＭＶ値に対する補正量Ｑは「０」に設定されている。また、温度２３℃／４８％ＲＨ（相対湿度）に保たれた空調環境２に対しては「やや涼しい」として、ＰＭＶ値に対する補正量Ｑは「−１」に設定されている。したがって、この場合は、温度（湿度）をやや上昇させることで「快適」な状態を得たい意思を示している。反対に、温度２６℃／５３％ＲＨ（相対湿度）に保たれた空調環境２に対しては「やや暖かい」として、ＰＭＶ値に対する補正量Ｑは「＋１」に設定されている。したがってこの場合は、温度（湿度）をやや低下させることで「快適」な状態を得たい意思を示している。このように、快適性補正テーブル５２は、空調環境２が有する複数の温湿度条件の各々に対応した補正量Ｑを複数有した状態で補正量記憶部１４に記憶されている。なお、従業員グループＢ〜Ｅについても上記と同じ趣旨の内容が設定された快適性補正テーブル５２が補正量記憶部１４にそれぞれ記憶されている。
【００３６】
制御装置１００（図１参照）では、勤務シフト記憶部１３に勤務シフト表５１が記憶され、かつ、補正量記憶部１４に快適性補正テーブル５２が記憶された状態で、空気調和機１に対して次のような運転制御が行われる。なお、以下に説明する運転制御が行われる前提として、空気調和機１に対する所定の運転制御が行われて空調環境２がＰＭＶ値≒０に対応する温湿度条件に保たれていたとする。
【００３７】
すなわち、本実施形態では、制御装置１００は、空調環境２に滞在する従業員グループＡ〜Ｅの勤務シフト情報（滞在時間情報）が集約された勤務シフト表５１（図４参照）、および、空調環境２に対する従業員グループＡ〜Ｅごとの快適性補正テーブル５２（図５参照）に基づいて予測平均温冷感申告（ＰＭＶ値）に基づく制御量Ｐを補正した状態で、空気調和機１の運転制御を行うように構成されている。これにより、各従業員グループの空調環境２に滞在する時間帯（勤務シフト）に合わせて滞在中の従業員グループが有する温冷感を空気調和制御に自動的に反映させる制御が行われるように構成されている。
【００３８】
この点について、具体例を挙げて説明する。たとえば、従業員グループＡ、ＢおよびＣが、２０１３年２月３日（日曜日）の勤務シフト表５１（図４参照）に基づいて業務を行う場合を考える。
【００３９】
まず、空調環境２は、午前９時まではＰＭＶ値≒０に対応する所定の温湿度条件に保たれていたとする。この状態では、ＰＭＶ値≒０に対応する制御量Ｐに基づいて空気調和機１の運転制御が行われている。そして、午前９時から従業員グループＡが空調環境２に滞在して業務を開始する。この際、従業員グループＡの温冷感が登録（設定）された温冷感情報としての快適性補正テーブル５２（図５参照）が制御装置１００（図１参照）内部で参照されながら空気調和機１の運転制御が継続される。
【００４０】
たとえば、空調環境２の午前９時での温湿度条件が２５℃／５３％ＲＨであった場合、図５に示すように、快適性補正テーブル５２における同温湿度条件においては従業員グループＡの温冷感として「やや暖かい」に対応した補正量Ｑとして「＋１」が設定されている。したがって、図６に示すように、午前９時において空気調和機制御部１１（図１参照）が把握する現在のＰＭＶ値が「０」から「＋１」へと変更される。
【００４１】
これにより、補正量算出部１２（図１参照）においては、変更されたＰＭＶ値（＝＋１．０）に基づいて空気調和機１に対して運転制御を行う際の新たな制御量Ｐが算出されるとともに、算出された新たな制御量Ｐに基づいて空気調和機１に対する運転指令が空調機運転制御部１１から出力される。したがって、制御装置１００は、変更された現在（午前９時）のＰＭＶ値である「＋１．０」の状態から中立である「０」の状態へと空調環境２をシフトさせるような新たな制御量Ｐのもとでの運転制御を空気調和機１に対して行う。そして、時間経過とともに、従業員グループＡにとって快適さ（ＰＭＶ値≒０）を感じる温湿度条件へと近付けられる。なお、空気調和機１の運転内容については、その時点における温湿度条件に応じて、冷房運転、暖房運転、送風運転またはドライ運転などが適宜選択される。このように、本実施形態では、ＰＭＶ値を「＋１．０」から「０」に向けて遷移させるのに必要な新たな制御量Ｐは、勤務シフト表５１に基づいて特定された空調環境２に滞在中の従業員グループＡの快適性補正テーブル５２に対応した補正量Ｑを制御量Ｐに付加した状態で空気調和機１の運転制御を行うように構成されている。
【００４２】
また、図４に示すように、午後１３時を境に、従業員グループＡと入れ替わるようにして従業員グループＢが空調環境２に滞在して業務を開始する。この際、従業員グループＢの温冷感が登録された温冷感情報としての快適性補正テーブル５２（図５参照）が参照されながら空気調和機１の運転制御が行われる。たとえば、空調環境２の午後１３時での温湿度条件に対して従業員グループＢの温冷感として「やや涼しい」に対応した「−１」が設定されていたとする。この場合、図６に示すように、午後１３時において空気調和機制御部１１（図１参照）が把握する現在のＰＭＶ値が「０」から「−１」へと変更される。
【００４３】
これにより、補正量算出部１２（図１参照）においては、変更されたＰＭＶ値（＝−１．０）に基づいて空気調和機１に対して運転制御を行う際の新たな制御量Ｐが算出されるとともに、算出された新たな制御量Ｐに基づいて空気調和機１に対する運転指令が空調機運転制御部１１から出力される。したがって、制御装置１００は、変更された現在（午後１３時）のＰＭＶ値である「−１．０」の状態から中立である「０」の状態へと空調環境２をシフトさせるような新たな制御量Ｐのもとでの運転制御を空気調和機１に対して行う。そして、時間経過とともに、従業員グループＢにとって快適（ＰＭＶ値≒０）となる温湿度条件へと近付けられる。この場合も、空気調和機１の運転内容については、その時点における温湿度条件に応じて、冷房運転、暖房運転、送風運転またはドライ運転などが適宜選択されうる。
【００４４】
また、図４に示すように、午後１７時を境に、従業員グループＢと入れ替わるようにして従業員グループＣが空調環境２に滞在して業務を開始する。この際、従業員グループＣに対応した快適性補正テーブル５２（図５参照）が参照されながら空気調和機１の運転制御が行われる。たとえば、空調環境２の午後１７時での温湿度条件に対して従業員グループＣの温冷感として「暖かい」に対応した「＋２」が設定されていたとする。この場合、図６に示すように、午後１７時において現在のＰＭＶ値が「０」から「＋２」へと変更される。したがって、制御装置１００は、変更された現在（午後１７時）のＰＭＶ値である「＋２．０」の状態から中立である「０」の状態へと空調環境２をシフトさせるような新たな制御量Ｐのもとでの運転制御を空気調和機１に対して行う。そして、時間経過とともに、従業員グループＣにとって快適（ＰＭＶ値≒０）となる温湿度条件へと近付けられる。
【００４５】
このように、制御装置１００による空気調和機１の運転制御においては、従業員グループの温冷感に応じて空調環境２の温湿度条件を一時的に各従業員グループの快適性（温冷感）に合わせるような空気調和制御が行われる。なお、図６に示した一例では、従業員グループＡ〜Ｃの入れ替わりに応じて、都度、空調環境２の快適さが変更されるような制御例を図示しているが、たとえば、午後１３時の時点で従業員グループＡからＢに入れ替わった際、その時点での温湿度条件が従業員グループＢに対応する快適性補正テーブル５２において「快適（補正量Ｑ＝０）」であった場合には、ＰＭＶ値の変更は行われない。
【００４６】
また、快適性操作パネル２０は、図３に示すように、予測平均温冷感申告（ＰＭＶ値）に対応する温湿度条件が空気調和の基準値として設定された空調環境２に対して、従業員グループごとの温冷感を受け付ける機能を有している。
【００４７】
具体的には、快適性操作パネル２０は、操作画面２１を有しており、操作画面２１には、従業員グループの温冷感に基づき現在の空調環境２を評価するための温感ボタンとして、「暑い」という温冷感を入力する際に押下されるボタン画像２２と、「寒い」という温冷感を入力する際に押下されるボタン画像２３とが設けられている。また、快適性操作パネル２０（操作画面２１）はタッチパネル式であり、従業員（従業員グループの代表者など）がボタン画像２２またはボタン画像２３に指などを触れて軽く押下することにより、ボタン画像２２または２３が押下された旨が受け付けられるように構成されている。
【００４８】
ここで、本実施形態では、従業員により快適性操作パネル２０を介して入力操作を行うことによって、補正量記憶部１４（図１参照）に予め記憶するための快適性補正テーブル５２を作成することが可能に構成されている。すなわち、従業員により快適性操作パネル２０を介した入力操作が行われた際、勤務シフト記憶部１３（図１参照）に記憶された勤務シフト表５１に基づいて快適性操作パネル２０を介して入力操作を行った従業員グループが特定されるとともに、特定された従業員グループの空調環境２に対する快適性補正テーブル５２が新規作成または最新の状態に更新されて補正量記憶部１４に記憶されるように構成されている。
【００４９】
たとえば、従業員グループＡの勤務時間中において、現在の温湿度条件（たとえば、２６℃／５３％ＲＨとする）に調整された空調環境２が暑いと感じた場合にグループ構成員の誰かが代表で「暑い」を示すボタン画像２２（図３参照）を１回押下したとする。この場合、まず、制御装置１００内において勤務シフト表５１（図４参照）が参照されることにより、ボタン画像２２が押圧された時点での従業員グループＡが特定されるとともに、操作画面２１に設けられた従業員名表示部２４には特定された従業員グループ名が「従業員グループＡ」のように表示される。そして、図５に示すように、現在の温湿度条件である２６℃／５３％ＲＨに対応する補正量Ｑに「＋１」が登録された状態となって補正量記憶部１４に従業員グループＡの快適性補正テーブル５２が記憶（保存）されるように構成されている。また、快適性補正テーブル５２は、入力時の空調環境２が有する温湿度条件に対応するように補正量Ｑが個別に入力されるように構成されている。
【００５０】
また、本実施形態では、予め作成済みの快適性補正テーブル５２が補正量記憶部１４に記憶されている状態で、空調環境２に対する従業員グループの温冷感の入力操作が快適性操作パネル２０を介して再度受け付けられた場合、勤務シフト表５１に基づいて特定された従業員グループの快適性補正テーブル５２に、この再度受け付けられた温冷感が反映された状態で補正量記憶部１４の記憶内容が更新されるように構成されている。したがって、制御装置１００による空気調和制御が運用されている最中であっても、快適性補正テーブル５２は、常に最新の状態で記憶されるようにも構成されている。
【００５１】
なお、ボタン画像２２または２３が押下されて温冷感が再度受け付けられた場合、ＰＭＶ値のさらなる変更に基づいて空気調和機１の運転制御が継続される。したがって、空調環境２の温湿度条件が略安定するまでの所定期間（たとえば１０分間）は、ボタン画像２２または２３が繰り返し押下されても温冷感が再度受け付けられない（快適性補正テーブル５２への補正量Ｑの更新が反映されない）ように構成されている。本実施形態による制御装置１００は、上記のように構成されている。
【００５２】
次に、図１、図３〜図５および図７を参照して、本実施形態による制御装置１００によって空気調和機１の運転制御が行われる際の空調機運転制御部１１の処理フローについて説明する。なお、以下では、空気調和機１（図１参照）が空調環境２（図１参照）に設定された予測平均温冷感申告（ＰＭＶ値）に基づいて運転制御されている際の空調機運転制御部１１の処理動作について説明を行う。
【００５３】
図７に示すように、まず、ステップＳ１では、空調機運転制御部１１（図１参照）により、現在の日付および時刻情報が取得される。そして、ステップＳ２では、勤務シフト記憶部１３（図１参照）に記憶された勤務シフト表５１（図４参照）が参照されることにより、取得された日付および時刻情報に対応して空調環境２（図１参照）に滞在する従業員グループが存在するか否かが空調機運転制御部１１により判断される。ステップＳ２において現在の日付および時刻情報に対応して空調環境２に滞在する従業員グループが存在しないと判断された場合は、本制御フローは終了される。なお、本制御フロー終了後は、所定の制御周期が経過した後に、再び、図７に示した本制御フローが実行される。
【００５４】
また、ステップＳ２において現在の日付および時刻情報に対応して空調環境２に滞在する従業員グループが存在すると判断された場合、ステップＳ３では、現在の日付および時刻情報に対応して空調環境２に滞在する従業員グループが空調機運転制御部１１により特定される。たとえば、２０１３年２月３日（日曜日）の午前９時であった場合、勤務シフト表５１に基づいて従業員グループＡが空調環境２に滞在していることが特定される。
【００５５】
そして、ステップＳ４では、空調機運転制御部１１により、現在の空調環境２のＰＭＶ値および温湿度条件（温度および相対湿度）が取得される。この場合、ＰＭＶ値算出部１０（図１参照）により現在のＰＭＶ値として「０」が取得されるとともに、温湿度条件として「温度２３℃／４８％ＲＨ（相対湿度）」が取得されたとする。その後、ステップＳ５において、特定されたいずれかの従業員グループが有する快適性補正テーブル５２（図５参照）が参照されることにより、現在の空調環境２の温湿度条件に対応する従業員グループＡの温冷感情報（補正量Ｑ）が取得される。この場合、従業員グループＡの快適性補正テーブル５２においては、温度２３℃／４８％ＲＨに保たれた空調環境２に対しては「やや涼しい」に対応した補正量Ｑとしての「−１」が取得される。
【００５６】
これにより、本実施形態では、ステップＳ６において、ステップＳ４で取得された現在の空調環境２のＰＭＶ値に対して、ステップＳ５で取得された温冷感情報に対応するＰＭＶ値の補正量Ｑが加算される。すなわち、ステップＳ４において取得されたＰＭＶ値の「０」に対して従業員グループＡの温冷感としての「やや涼しい」に対応する補正量Ｑである「−１」が加算される。これにより、ＰＭＶ値は、現在の「０」から「−１」へと変更される。
【００５７】
そして、ステップＳ７では、空調機運転制御部１１の指令に基づき、補正量算出部１２において、変更されたＰＭＶ値に基づく空気調和機１（図１参照）に対する新たな制御量Ｐが算出される。その後、ステップＳ８では、ステップＳ７で算出された新たな制御量Ｐに基づいて空気調和機１に対する補正運転制御が開始される。なお、本制御フロー終了後は、所定の制御周期が経過した後に、再び、図７に示した本制御フローが実行される。
【００５８】
次に、図１、図３〜図５および図８を参照して、本実施形態による制御装置１００によって空気調和機１の運転制御が行われる際に、快適性操作パネル２０が入力操作を受け付けた場合の空調機運転制御部１１の処理フローについて説明する。
【００５９】
図８に示すように、まず、ステップＳ２１では、快適性操作パネル２０（図３参照）における温感ボタンとしてのボタン画像２２（図３参照）またはボタン画像２３（図３参照）が従業員（従業員グループの代表者）によって押下されたか否かが空調機運転制御部１１（図１参照）により判断されるとともに、ボタン画像２２またはボタン画像２３が従業員（従業員グループの代表者）によって押下されたと判断されるまで、ステップＳ２１の判断が繰り返される。
【００６０】
ステップＳ２１において、ボタン画像２２またはボタン画像２３が従業員（従業員グループの代表者）によって押下されたと判断された場合、ステップＳ２２では、空調機運転制御部１１（図１参照）により、現在の日付および時刻情報が取得される。そして、ステップＳ２３では、空調機運転制御部１１により、勤務シフト記憶部１３（図１参照）に記憶された勤務シフト表５１（図４参照）が参照されることにより、取得された日付および時刻情報に対応して空調環境２（図１参照）に滞在する従業員グループが特定される。たとえば、現在の時刻が２０１３年２月４日（月曜日）の午後１５時であった場合、勤務シフト表５１に基づいて従業員グループＥ（図４参照）が空調環境２に滞在して業務を行っていることが特定される。
【００６１】
そして、ステップＳ２４では、空調機運転制御部１１により、現在の空調環境２の温湿度条件（温度および相対湿度）が取得される。そして、ステップＳ２５では、快適性補正テーブル５２（図５参照）が補正量記憶部１４（図１参照）から呼び出されるとともに、ステップＳ２４で取得された空調環境２の温湿度条件に対応する補正量Ｑに対して、ステップＳ２１で従業員（従業員グループＥの代表者）によって押下されたボタン画像２２またはボタン画像２３に対応する補正量へと変更される。たとえば、変更前の補正量Ｑ＝「０」であり、かつ、ボタン画像２２が１回押圧された場合には、補正量Ｑは、「０」から「＋１」へと変更される。
【００６２】
その後、本実施形態では、ステップＳ２６において、補正量Ｑの変更が行われた快適性補正テーブル５２が補正量記憶部１４に上書き保存（再記憶）されることにより、本制御フローは終了される。なお、本制御フロー終了後は、所定の制御周期が経過した後に、再び、図８に示した本制御フローが実行される。
【００６３】
本実施形態では、上記のように、空調環境２に滞在するとともに各々が所定の勤務シフトに基づいて業務に携わる従業員グループＡ〜Ｅの勤務シフト表５１、および、空調環境２に対する従業員グループＡ〜Ｅごとの快適性補正テーブル５２に基づいて予測平均温冷感申告（ＰＭＶ値）に基づく制御量Ｐを補正した状態で空気調和機１の運転制御を行う空気調和機制御部１１を備える。これにより、空調環境２に滞在中の従業員グループに合わせた温冷感を空気調和制御に自動的に反映させることができるので、従業員グループにとっては空調環境２への滞在時に自己の「暑い」・「寒い」などの温冷感を制御装置１００側に都度入力する手間を掛けることなくグループごとの温冷感が自動的に反映された空調環境２を享受することができる。その結果、予測平均温冷感申告（ＰＭＶ値）に基づく個人差（グループに固有の温冷感）を補正する際の従業員による機器操作の手間を大幅に削減することができる。また、制御装置１００側においても、各従業員グループの勤務シフト表５１および快適性補正テーブル５２に基づく効率的な空気調和制御を行うことができるので、予測平均温冷感申告に基づく自動運転制御による省エネ効果を適切に得ることができる。
【００６４】
また、本実施形態では、各従業員グループの空調環境２に対する快適性補正テーブル５２は、予測平均温冷感申告（ＰＭＶ値）に対する補正量Ｑとして補正量記憶部１４に記憶されるように構成されており、勤務シフト表５１に基づいて特定された空調環境２に滞在中の従業員グループの快適性補正テーブル５２に対応した補正量Ｑを制御量Ｐに付加することによって、空気調和機１の運転制御を行うように空気調和機制御部１１を構成する。これにより、空調環境２に滞在中の従業員グループを勤務シフトに基づいて容易に特定することができるとともに、予測平均温冷感申告が設定された空調環境２に対して、特定された従業員グループに合わせた温冷感を加味した空気調和機１の運転制御を容易に行うことができる。
【００６５】
また、本実施形態では、空調環境２に対する従業員グループの温冷感の入力操作を受け付ける快適性操作パネル２０をさらに備え、従業員グループにより快適性操作パネル２０を介して入力操作が行われた際に、勤務シフト記憶部１３に記憶された勤務シフト表５１に基づいて快適性操作パネル２０を介して入力操作を行う従業員グループが特定されるとともに、特定された従業員グループの空調環境２に対する快適性補正テーブル５２が補正量記憶部１４に記憶されるように構成する。これにより、快適性操作パネル２０を介して入力（登録）される従業員グループごとの快適性補正テーブル５２を、この入力操作（登録操作）を行う従業員グループと確実に関連付けて補正量記憶部１４に記憶（登録）させることができる。これにより、予測平均温冷感申告が設定された空調環境２に対して、従業員グループごとの温冷感を空気調和制御に確実に反映させることができる。
【００６６】
また、本実施形態では、快適性補正テーブル５２が補正量記憶部１４に記憶されている状態で、空調環境２に対する従業員グループの温冷感の入力操作が快適性操作パネル２０を介して再度受け付けられた場合、勤務シフト表５１に基づいて特定された従業員グループの快適性補正テーブル５２に再度受け付けられた温冷感が反映された状態で補正量記憶部１４の記憶内容が更新されるように制御装置１００を構成する。これにより、各従業員グループ内での温冷感が多少変化したり、従業員グループの人員構成が変更されて全体としての温冷感が多少変化した場合であっても、補正量記憶部１４に記憶（登録）される従業員グループの快適性補正テーブル５２を従業員グループ側の変更に対応させて常に最新の状態に更新することができる。
【００６７】
また、本実施形態では、各従業員グループの快適性補正テーブル５２は、空調環境２が有する複数の温湿度条件の各々に対応した快適性補正テーブル５２の状態で快適性操作パネル２０を介して個別に入力操作されることによって補正量記憶部１４に記憶されるように構成する。これにより、複数の温湿度条件の各々に対応して温冷感を細かく設定しておくことができるので、各従業員グループの温冷感を空気調和制御に対して忠実に反映させることができる。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記実施形態では、複数人数の従業員が１つの従業員グループを形成した状態で、複数の従業員グループＡ〜Ｅが互いに異なる日付および勤務時間帯において業務に携わる場合に対して本発明を適用した例について示したが、本発明はこれに限られない。すなわち、各従業員グループの構成員が１人の場合においても本発明を適用することが可能である。つまり、勤務時間帯に応じて互いに異なる温冷感を有する従業員各人が有する快適度を、各々の従業員の勤務時間帯に応じて個別に補正しながら空調環境２の空気調和制御を行ってもよい。また、従業員グループの構成員が１人の場合や複数人数の場合が混在しているような勤務形態においても、本発明を適用することができる。
【００７０】
また、上記実施形態では、勤務シフト表５１を勤務シフト記憶部１３に記憶させるとともに、快適性補正テーブル５２を補正量記憶部１４に記憶させた例について示したが、本発明はこれに限られない。勤務シフト表５１および快適性補正テーブル５２を、同じ１つの記憶部（メモリ）に記憶させるように構成してもよい。
【００７１】
また、上記実施形態では、ボタン画像２２を１回押下して「暑い」という温冷感を入力した場合のＰＭＶ値の補正量Ｑを「＋１」に設定するとともに、ボタン画像２３を１回押下して「寒い」という温冷感を入力した場合のＰＭＶ値の補正量Ｑを「−１」に設定するように構成した例について示したが、本発明はこれに限られない。すなわち、１回分の温感ボタン（ボタン画像２２または２３）に対応する補正量Ｑの増減幅は、上記した「＋１．０」や「−１．０」以外であってもよい。よりきめ細かな制御を行う場合には、１回分の温感ボタンに対応する補正量Ｑの変更幅を、「±０．２」きざみなどとしてもよい。
【００７２】
また、上記実施形態では、快適性操作パネル２０をタッチパネル式の操作画面２１を用いて構成した例について示したが、本発明はこれに限られない。本発明では、利用者（従業員）の個人的な「暑い」・「寒い」などの温冷感を入力するための物理的な温感ボタンを有するリモコン装置や操作画面に隣接して配置された物理的な温感ボタンを用いて、本発明の「快適性入力部」を構成してもよい。
【００７３】
また、上記実施形態では、ボタン画像２２またはボタン画像２３を押下することによって利用者（従業員）の「暑い」または「寒い」などの温冷感を受け付けるように快適性操作パネル２０を構成した例について示したが、本発明はこれに限られない。たとえば、快適性操作パネル２０にマイクロフォンを設けておき、制御装置１００側で利用者（従業員）の「暑い」、「暖かい」、「涼しい」または「寒い」などの発声内容を音声認識する方法を利用して、利用者（従業員）の温冷感を受け付けるように構成してもよい。また、たとえば、快適性操作パネル２０にカメラ（撮像部）を設けておき、利用者（従業員）の身振り手振り（ジェスチャー）を画像認識した結果に基づいて利用者（従業員）の温冷感を判別可能に受け付けるように構成してもよい。また、センサ類３のひとつとして空調環境２にカメラ（撮像部）を設置しておき、利用者（従業員）の暑さ寒さに関連する行動や身振り手振りを画像認識した結果に基づいて利用者（従業員）の温冷感を判別可能に受け付けるように構成してもよい。また、マイクロフォンやカメラなどを組み合わせて用いることによって利用者（従業員）の温冷感を受け付けるように本発明の「快適性入力部」を構成してもよい。
【００７４】
また、上記実施形態では、店舗内の空調環境２に対して空気調和機１による空気調和を行う場合に本発明を適用した例について示したが、本発明はこれに限られない。特定の職務従事者が勤務するオフィスビルなどの建築物内における空調環境２に対して、本発明を適用してもよい。
【００７５】
また、上記実施形態では、蒸気圧縮式の冷凍サイクル装置を使用して空気調和機１を構成した例について示したが、本発明はこれに限られない。本発明では、空気調和機１は、吸収式冷凍機であってもよい。
【００７６】
また、上記実施形態では、説明の便宜上、空調機運転制御部１１の空気調和機１の運転に関する制御処理を処理フローに沿って順番に処理を行うフロー駆動型のフローチャートを用いて説明したが、本発明はこれに限られない。本発明では、空調機運転制御部１１の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７７】
１  空気調和機
２  空調環境
３  センサ類
１０  ＰＭＶ値算出部
１１  空調機運転制御部（空気調和機制御部）
１２  補正量算出部
１３  勤務シフト記憶部（第１記憶手段）
１４  補正量記憶部（第２記憶手段）
２０  快適性操作パネル（快適性入力部）
２２、２３  ボタン画像
５１  勤務シフト表（滞在時間帯情報、勤務シフト情報）
５２  快適性補正テーブル（温冷感情報）
１００  制御装置（空気調和機の制御装置）
【図１】
2015017753.tif 000003
【図２】
2015017753.tif 000004
【図３】
2015017753.tif 000005
【図４】
2015017753.tif 000006
【図５】
2015017753.tif 000007
【図６】
2015017753.tif 000008
【図７】
2015017753.tif 000009
【図８】
2015017753.tif 000010